(57)【要約】【課題】車載端末から車両情報を収集し情報センタにて集計する車両情報収集方法及びシステムにおいて、運転手側で見られたくない車両情報を隠蔽する。【解決手段】車両に設置されている車載端末に、車両情報の収集仕様を決定する車両情報仕様決定機能を設ける。また、情報センタは、車両情報仕様決定機能にて決定された車両情報仕様に基づきサービス料金を決定する。【効果】運転手の意向により走行履歴を他者に見せるか見せないかを選択することができ、プライバシー問題に敏感な運転手にもシステムを利用しやすいようにしている。また、走行履歴を隠蔽された場合でもサービスの実現に対する損失を補填することが可能である。【選択図】　図１
2004118370.tif 000002
【特許請求の範囲】
【請求項１】
収集した車両情報に基づくサービスを提供する情報センタに対して送信する車両情報を車載器が収集する車両情報収集システムにおいて、
車載器または使用者の情報端末の操作入力装置から、前記情報センタに対して送信する車両情報の情報仕様を入力し、該車載機は入力された車両情報仕様を記憶し、該記憶された車両情報仕様に基づいて当該車載器が設置された車両の車両情報を記録し、記憶された車両情報を情報センタに送信することを特徴とする車両情報収集システム。
【請求項２】
請求項１の車両情報収集システムにおいて、前記車載器は車外の情報端末から設定した車両情報仕様を情報センタから受信し、受信した車両情報仕様を車載器の表示装置に表示することを特徴とする車両情報収集システム。
【請求項３】
請求項１の車両情報収集システムにおいて、車載器が収集した車両情報の送信または記録する対象となる期間は、車載器に設けた指示手段の操作、または車両の状態が予め設定された条件を満たす状態になったことにより決定されることを特徴とする車両情報収集システム。
【請求項４】
請求項１の車両情報収集システムにおいて、情報センタは、利用者へサービスを提供する際には、前記設定された車両情報の情報仕様に基づきサービス料金を算定して、利用者に課金することを特徴とする車両情報収集システム。
【請求項５】
請求項１の車両情報収集システムにおいて、情報仕様を選択した際には料金または料金の割引率を、車載機の出力装置または情報端末に表示し、
料金または料金の割引率は、前記情報使用の設定操作に応じて変更されることを特徴とする車両情報収集システム。
【請求項６】
収集した車両情報に基づくサービスを提供する情報センタに対して送信する車両情報を収集する車載器において、
車載器は、使用者が設定する前記情報センタに対して送信する車両情報の情報仕様を入力する操作入力装置と、
入力された車両情報仕様を記憶する記憶手段と、
該記憶された車両情報仕様に基づいて当該車載器が設置された車両の車両情報を記録する記録手段と、
記録された車両情報を情報センタに送信する通信手段と、
車両情報仕様を表示する表示装置と
を備えたことを特徴とする車両情報収集システム。
【請求項７】
請求項６に記載の車載器において、
前記車両情報仕様が車外の情報端末から設定された場合には、該車両情報仕様を情報センタから前記通信手段により受信し、
受信した車両情報仕様を前記表示装置に表示すること
を特徴とする車両情報収集システム。
【請求項８】
請求項６に記載の車載器において、
収集した車両情報の送信または記録する対象となる期間を指示する指示手段を更に備え、該指示手段の操作に基づき、前記記録手段への車両情報の記録を行うこと
を特徴とする車両情報収集システム。
【請求項９】
収集した車両情報に基づきサービスを提供する情報センタにおいて、
該情報センタは、
車載器または使用者の情報端末から送られてくる、該情報センタに対して送信する車両情報の情報仕様を記憶する車両情報仕様データベースと、
車載機はから送信される車両情報を記憶する車両情報データベースと、
該記憶された車両情報による車両の走行履歴に基づき作成されたサービスコンテンツを記憶するコンテンツデータベースを備え、
利用者にサービスを提供する際には、該利用者に対応する前記記憶された車両情報の情報仕様に基づきサービス料金を算定して、利用者に課金すること
を特徴とする情報センタ。
【請求項１０】
収集した車両情報に基づくサービスを提供する情報センタに対して送信する車両情報を車載器で収集する車両情報収集方法において、
車載器の操作入力装置から入力された、前記情報センタに対して送信する車両情報の情報仕様を記憶し、
該記憶された車両情報仕様に基づいて当該車載器が設置された車両の車両情報を記録し、記憶された車両情報を情報センタに送信することを特徴とする車両情報収集方法。
【請求項１１】
請求項１０の車両情報収集方法において、前記車両情報の情報仕様が車外の情報端末から入力された際には、情報センタを経由して該車両情報仕様を受信し、
受信した車両情報仕様を車載器の表示装置に表示すること
を特徴とする車両情報収集システム。
【請求項１２】
請求項１０の車両情報収集方法において、情報仕様を選択する際には料金または料金の割引率を車載機の出力装置または情報端末に表示し、
料金または料金の割引率は、前記情報使用の設定操作に応じて変更されることを特徴とする車両情報収集方法。
【発明の詳細な説明】
【０００１】
【発明の属する技術分野】
本発明は、車両情報を収集し情報センタで集計しサービスに用いる車両情報収集方法及びシステムに関する。
【０００２】
【従来の技術】
現在、車両に関する情報、いわば車両情報を車載端末で収集し、情報センタ側で車両情報を集計し、その集計結果を交通情報サービスや車両の故障診断サービス，自動車損害保険サービスに利用するシステムが存在している。交通情報サービスは、車両の速度と現在位置を車載端末で収集し情報センタで集計することにより、渋滞情報を生成し車載端末へ提供するというものである。特開平５−３３２８８８号公報に記載の車両の故障診断サービスは、車両の状態、たとえば車速，エンジン回転数，アクセル開度などを車載端末で収集し情報センタで集計・診断することにより、その診断結果を車両側へ提供するものである。特表平１１−５１１５８１号公報に記載の自動車損害保険サービスは、車両の状態、たとえば車速と現在位置，方位角速度などを車載端末で収集し、情報センタで集計し車両の事故率を診断し車両の保険料金を決定することにより、事故率の低い車両に対して保険料割引サービスを提供するものである。
【特許文献１】
特開平０５−３３２８８８号公報
【特許文献２】
特表平１１−５１１５８１号公報
【０００３】
【発明が解決しようとする課題】
従来の車両情報収集方法及びシステムでは、車両情報が情報センタで集計されるため、運転手側で見られたくない車両情報も情報センタ側のオペレータに見られてしまうという心理的な抵抗感が利用者に在った。また、車両情報を情報センタへ受け渡す際にセキュリティ対策が整っていないと、第三者に車両情報を見られてしまうというプライバシー侵害の恐れもある。しかし、第三者からのプライバシー侵害を防ぐために車両情報を情報センタへ渡さなければ、情報センタ側では情報不足のためユーザに対するサービスが実現できない可能性がある。
【０００４】
【課題を解決するための手段】
本発明では、送信または記録する車両情報の仕様（以下、車両情報仕様と称す）を車両の車載端末または運転手の情報端末から入力し、この車両情報仕様に従って車載端末に車両情報を送信または記録させることにより、運転手が車両情報にマスクをかけられるようにすれば良い。
【０００５】
また情報にマスクをかける場合、情報センタ側にとってサービスに必要な情報が半減してしまうこともある。このため、サービスにとって必要な情報がどのぐらいの割合で情報センタ側に受け渡されているかによって料金を設定する。この場合、ドライバーの設定によりプライバシーの開示の度合いが大きく成る程、サービス料金が安くなるように料金を設定する。
【０００６】
【発明の実施の形態】
本発明の実施例を、図面を参照して説明する。図１は本発明の実施例における、システムのブロック図である。サービス会員９は、本実施例では法人を想定しており、ＰＣ１と携帯端末２を所持し、運転手１０を雇用しているものとする。運転手１０は、サービス会員９に雇用されており、ＰＣ１１と携帯端末１２を所持している。車両２０には車載端末２１が設置されている。
【０００７】
車載端末２１は、車両２０の車両情報７１を収集し、通信事業者５０を介してこの車両情報７１を情報センタ４０へ送信する。ここで車両情報７１とは、車両２０の状態に関する情報，運転手１０の状態に関する情報，車両２０の走行環境に関する情報全てを指し、車両２０の内部または外部から収集可能な情報全てを対象とする。車両２０の状態に関する情報としては、例えば車両２０の現在位置（緯度・経度），車速，方位角，方位角速度，エンジン回転数，エンジンオイル量などが挙げられる。運転手１０の状態に関する情報としては、例えばアクセル開度，ブレーキ踏込力，ハンドル操舵角などが挙げられる。車両２０の走行環境に関する情報としては、車間距離，先行車角度，信号機の色などが挙げられる。
【０００８】
情報センタ４０は、車両情報７１を走行履歴７２に加工して、サービス事業者３０へ送信する。サービス事業者３０は走行履歴７２によって実現可能なサービスコンテンツを生成し、車載端末２１を介して運転手１０へサービス７３を提供する。サービス事業者３０は、サービス会員９に対してこの提供したサービス７３のサービス料金を請求し（７４）、サービス会員９はサービス事業者３０へサービス料金を支払う（７５）。この際、車両情報７１において、送信または記録の周期，値の範囲，値の精度など定めた車両情報仕様７０を、運転手１０がＰＣ１１または携帯端末１２を用いて設定し、該車両情報仕様７０をサービス会員９のＰＣ１または携帯端末２へ送信する。サービス会員９は車両情報仕様７０の承認処理を行い、ＰＣ１１または携帯端末１２からサービス事業者３０へ送信する。サービス事業者３０は情報センタ４０を介して車載端末２１へ車両情報仕様７０を送信する。車載端末２１は車両情報仕様７０に従って車両情報７１を送信または記録する。
【０００９】
詳しくは、車載端末２１は図５に示す構成をしている。車載端末２１は、１つないしは複数のＣＰＵ２１０、このＣＰＵ２１０の指令を各装置に伝えるＩ／Ｏ２１１，車載端末２１が搭載された車両２０の状態または運転手１０の操作に関する情報を検出する複数の各種センサ２１２，車両２０の時刻に応じた位置を計測するＧＰＳ受信機２１３，衛星から電波を検出するＧＰＳアンテナ２１４，無線通信を行うための無線送受信装置２１５と無線アンテナ２１６，車両情報７１を記録する情報記録装置２１７，運転手１０からの入力を受け付ける操作入力装置２１８，サービス７３の内容を表示するディスプレイ２１９から成り立つ。操作入力装置２１８としては、タッチパネルやリモコンあるいはカーソルやポインタの移動方向を指示するレバー，スティックの他に、後述の車両情報送信のトリガとなる切替ボタン２２を備えても良い。
【００１０】
また、情報センタ４０側の情報システムは図６のような構成をしている。情報センタ側の情報システムは、１つないしは複数の情報端末から構成されている。情報システムは、情報端末のＣＰＵ４２，該情報端末のマンマシンインターフェース４１，情報の送受信装置４３，サービス会員に関する情報を蓄積するサービス会員情報データベース４４１，車両情報仕様７０を蓄積する車両情報仕様データベース４４２，車両情報７１を蓄積する車両情報データベース４４３，サービスコンテンツを蓄積するサービスコンテンツデータベース４４４，車両情報７１の送受信履歴を蓄積する送受信履歴データベース４４５、また情報センタで各サービス会員あるいは運転手ごとに行った情報処理の履歴を蓄積する情報処理履歴データベース４４６，サービス会員からのサービス要求に関する情報を蓄積するサービス要求履歴データベース４４７から成り立っている。
【００１１】
また、サービス事業者３０側の情報システムは図７のような構成をしている。サービス事業者３０側の情報システムは、１つないしは複数の情報端末から構成されている。情報システムは、情報端末のＣＰＵ３２，情報端末のためのマンマシンインターフェース３１，サービス会員に関する情報を蓄積するサービス会員情報データベース３３，走行履歴７２を蓄積する走行履歴データベース３４，サービス事業者側で行った情報処理の履歴を蓄積する情報処理履歴データベース
３５，車両情報仕様７０から計算した情報価値を蓄積する情報価値データベース３６、から成り立っている。
【００１２】
サービス会員９のＰＣ１又は携帯端末２，運転手１０のＰＣ１１又は携帯端末１２，サービス事業者３０，情報センタ４０，通信事業者５０はそれぞれ通信中継媒体を介して通信網／電話回線に接続されており、相互に通信を行っている。この通信網／電話回線は有線でも無線でも構わない。車両２０に搭載された車載端末２１と通信事業者５０間の通信は、無線通信網／電話回線８９が用いられており、それぞれ無線通信中継媒体８３，８８を介してこの無線通信網／電話回線８９に接続される。
【００１３】
また、サービス会員９はサービス事業者３０とサービス契約９０を結んでおり、サービス会員はこのサービス契約９０で１人または複数の運転手１０と、１台または複数の車両２０を指定している。サービス事業者３０は情報センタ４０との間で、情報処理委託に関する情報処理契約９１を結んでいる。情報センタ４０は通信事業者５０と通信キャリアに関する通信契約９３を結んでいる。
【００１４】
図２乃至図４は、本発明の実施例における処理フロー図である。実施例における処理は、サービス事業立ち上げ，サービス会員登録手続き，車両情報仕様の登録，サービスコンテンツの作成，サービスコンテンツの送信，サービス料金の計算の６フェーズから成り立つ。以下、主なフェーズ毎に処理フローを説明する。
【００１５】
サービス事業立ち上げフェーズでは、図１に示すように、情報センタ４０は通信事業者５０と通信キャリアに関する契約９３を結ぶ。またサービス事業者３０は情報センタ４０と情報処理契約９１を結ぶ。
【００１６】
サービス会員登録手続きフェーズでは、サービス会員９はサービス事業者３０に会員申し込みの処理を行う。会員申し込み処理では、ＰＣ１への入力情報がサービス業者側のシステムに送信される。サービス事業者３０は会員申込処理で送られてきた内容に従って、会員登録の処理を行う。サービス事業者３０は、登録されたサービス会員９に対する、会員登録報告書の発送と、車両２０の台数分だけ車載端末２１配布のための発送処理をする。また、手続きに必要なＰＣ１１または携帯端末１２上で動作させるプログラム配布のための発送処理をする。この車載端末２１が、サービス会員９から運転手１０へ配布されて車両２０に設置されることになる。車載端末２１が車両２０に設置されると、運転手１０はサービス会員９の指示に基づき、車載端末２１の動作テストをする。運転手１０は車載端末２１に、動作テストをするよう操作入力装置２１８に入力する。車載端末２１は、動作テスト用の車両情報７１を情報センタ４０へ送信する。情報センタ４０は車載端末２１のテスト結果、たとえば車両情報７１の内容が物理的に適切かどうか、または車両情報７１の内容に欠損がないかどうかを、サービス事業者３０へ送信する。サービス事業者３０は、車載端末２１に対して動作テスト結果を送信する。車載端末２１は、ディスプレイ２１９に対して動作テスト結果を表示する。さらにサービス事業者３０は、サービス会員９に対して動作テスト結果を電子情報で送付する。
【００１７】
図２に示す車両情報仕様の登録フェーズでは、サービス会員９はサービス事業者３０にサービス申し込み手続きを行う（１４０）。具体的には、まずサービス事業者３０の持つＰＣ１または携帯端末２上で動作する入力処理プログラムを起動し、サービス会員用プログラムのログイン画面をＰＣ１または携帯端末２に表示させて、ログイン名とパスワードを入力して認証処理を行う。認証処理が成功すると、図２６のようなサービス会員用入力処理プログラムのメニュー画面１４８１が表示される。このメニューの中から「サービスの申込」項目を選択すると、図２９のようなサービス申込画面１４０１が表示される。サービス申込画面１４０１には、ログイン画面で認証されたユーザが利用可能なサービス名称が料金と共に表示されており、この画面の入力ガイダンスに従って、申し込み項目を入力することにより、例えば、交通情報提供サービス，安全運転診断サービス，車両の故障診断サービスのうちどのサービスを申し込むかを決定する。
【００１８】
次に、サービス申し込みを受けたサービス事業者３０は、申し込まれた各サービスに応じた車両情報仕様７０とその料金の対応表（以下車両情報仕様−料金対応表と称す）をサービス会員９に送付する（１４１）。また、車載端末２１に対しても、車両情報仕様−料金対応表を送信または配布する（１４２）。運転手１０によりＰＣ１１または携帯端末１２上の車両情報設定用プログラム、あるいは車載端末用プログラムが起動されると、ログイン画面が表示されるのでログイン名とパスワードを入力してログインすると、図１９のような車両情報の提供方法の設定画面１４６１がディスプレイ２１９などに表示される（１４５）。この画面には、提供された車両情報の適用サービスを表す「用途」と、車両情報の提供形態である「モード名」、この「モード名」に対応した料金の割引情報である「割引率」が表示される。
【００１９】
提供方法には、運転時の車両情報を全て提供する「全情報提供モード」、予め設定しておいた自宅位置付近を走行する時以外は全ての車両情報を提供する「自宅付近での情報非提供モード」，朝夕の通勤時間帯だけ車両情報を提供する「通勤時間オンリー提供モード」，車両情報の提供は運転者の意思に委ねて車戴器のボタン操作により車両情報の提供／非提供を決定する「ボタン切り替え提供モード」などがあり、それぞれのモードで車両情報を提供した場合の、自分が交通情報提供サービスを受けるときの割引率が、この例ではそれぞれ１００％，８０％，６０％，２０％と設定されており、より多くの情報を提供する可能性の高いモードほどサービス料金の割引率が高くなっている。運転手１０はＰＣ１１または携帯端末１２上あるいは車載端末２１上の車両情報の提供方法の設定画面１４６１から車両情報仕様７０を入力する。必要であれば図２９のような車両情報仕様の詳細設定画面１４６２を表示させ、車両情報仕様を入力する（１４６）。
【００２０】
図１９において、全情報提供モードとは、サービス事業者３０の指定した車両情報仕様７０に基づいて車両情報７１を記録または送信するモードのことである。また、自宅付近での情報非提供モードとは、自宅などあらかじめ設定された場所付近において車両情報７１を記録または送信しないようにするモードのことであり、具体的には緯度または経度が或る範囲内に入っていれば、その時間における車両情報７１を記録または送信しないようにする。通勤時間オンリー提供モードとは、通勤時間帯などあらかじめ設定された時間帯においてのみ車両情報７１を記録または送信しないようにするモードのことであり、具体的には時刻の値が或る範囲内に入っていれば、車両情報７１を記録または送信しないようにする。ボタン切り替え提供モードとは、切替ボタンを押すことにより車両情報７１の記録または送信を、開始または終了するものである。詳細設定モードとは、車両情報仕様７０を運転手１０自らが設定するモードである。
【００２１】
運転手１０が「自宅付近での情報非提供モード」を選択した場合、図２０に示すような地図画面１１２１が表示され、その地図画面１１２１にて運転手１０が自宅位置を指定する。次に、自宅を中心に何メートルの範囲で情報を提供しないかを運転手１０が選択して設定する。該範囲は円状でも多角形状でも構わないものとする。
【００２２】
運転手１０が「通勤時間オンリー提供モード」を選択した場合、図２１に示すような出社開始時刻，出社終了時刻，帰社開始時刻，帰社終了時刻を表す画面１１２２が表示される。運転手は各項目に時刻を入力することで、情報提供を行う時間帯の設定を行う。
【００２３】
運転手１０が「ボタン切り替え提供モード」を選択した場合、図２２に示すようなボタンのトリガの種類を示す画面１１２３が表示される。トリガの種類は４種類あり、ボタンを押し続けた分だけ車両情報７１を記録または送信しないモード（モード１），ボタンを押し続けた分だけ車両情報７１を記録または送信するモード（モード２），ボタンを押した時から車両情報７１を記録または送信し続けるモード（モード３），ボタンを押したときから車両情報７１を記録または送信しないモード（モード４）に分かれている。運転手１０はこれら４つのモードから希望のモードを選択する。
【００２４】
運転手１０が詳細設定モードを選択した場合、図２５のような車両情報仕様の詳細設定画面１４６２が表示され、車両情報仕様を入力する。この詳細設定画面からは、提供する車両情報項目「車両情報の種類」に対応して、その提供周期「周期（秒）」，提供の可否「収集」，提供される情報の精度「精度」が入力される。また、この画面には提供データの単位「単位」が表示されるが、この「単位」は車両に依存したものとなる。またこの詳細設定画面で、画面のリストを左右にスクロールさせることにより、図２４に示すような詳細設定画面１１２５が表示され、車両情報毎の記録周期または送信周期や精度の他に、車両情報の上限値，下限値，記録または送信を起動するためのトリガの種類，記録または送信する条件を示す記録条件または送信条件を入力することが出来る。記録条件または送信条件は、詳細設定画面１１２５で条件を設定したい車両情報の種類に対応する条件項目のボタンを押すことにより表示される図２３の条件入力画面１１２７により設定される。記録条件または送信条件は、いくつかの条件項からなる条件式であり、条件項の関係を示した条件式，条件項の内容から成り立っている。条件項の内容は、「条件項１」，「条件項２」といった条件項の番号毎に、「緯度」，「経度」といった位置情報あるいは、「ボタン」のＯＮ／ＯＦＦといった判定の元となる情報，条件項の判定関係を示す等号または不等号，判定の等値または閾値といった設定値を入力する。そして、記録・送信条件として条件項の判定関係をＡＮＤ条件，ＯＲ条件で示した条件式を条件項の番号を用いて入力し、更に、この条件式に合致したとき車両情報を記録・送信するのか或いは記録・送信しないようにするのかを選択する。
【００２５】
なお、運転手１０が車両情報提供方法の各モードを選択して行ったモード設定の内容に連動して推定割引率の表示が変更される。
【００２６】
車両情報仕様７０はＰＣ１１または携帯端末１２あるいは車載端末２１によってサービス会員９へ送信される（１４７）。サービス会員９は図２７のような運転手から送られてきた車両情報仕様の通達画面１４８２を表示させる。この画面には、サービス会員９と契約関係にある運転者の氏名・ログイン名のリストが表示され、各運転者ごとに、その運転者の運転する車両に搭載された車載端末における車両情報の提供方法が設定状況と、その設定に対するサービス会員９の承認状況が表示され、車載端末への登録が済んでいるにもかかわらず承認が終了していない運転者については、承認画面１４８３へ移行するためのボタンが表示される。車両情報仕様７０の入力が終了した運転者の設定を承認するためには、図２８のような運転手からの車両情報仕様承認画面１４８３を表示させる。この承認画面１４８３には運転手１０が設定した車両情報仕様７０とそれによる割引率が表示され、更に詳細条件を確認するためのボタンと、承認／却下／保留の設定ボタンが表示される。これらの設定ボタンを選択することにより、運転者がこの設定条件を使用してもよいかどうかの承認処理を行う（１４８）。
【００２７】
承認された車両情報仕様７０はサービス会員９によって情報センタ４０へ送信される（１５０）。情報センタ４０では車両情報仕様７０を車両情報仕様データベース４４２上に登録する。そして、送られてきた車両情報仕様７０に基づき情報価値を計算し（１５１）、サービス事業者にその情報価値を送信する（１５６）。情報センタ４０はまた通信事業者５０を介して登録済車両情報仕様７０を車載端末２１へ送信する（１５２，１５３）。車載端末２１はディスプレイ２１９上に登録済車両情報仕様７０を表示する（１５４）。また、サービス事業者３０は登録済車両情報仕様７０とその情報価値をサービス会員９へ送付する（１５７）。
【００２８】
図３に示すサービスコンテンツの作成フェーズでは、車両２０において車載端末２１が、各種センサ２１２から車両情報７１を定周期毎に収集し、ＣＰＵ２１０内の記憶装置に蓄積する（１６０）。ＣＰＵ２１０内の記憶装置における車両情報７１が一定量に蓄積されると、車載端末２１は車両情報仕様７０に従って車両情報７１を加工する。車載端末２１は加工後の車両情報を、通信事業者５０を介して情報センタ４０へ送信する（１６１，１６２）。ここで、通信事業者に通信料金が発生する。情報センタ４０は、送信された加工後の車両情報を車両情報データベース４４３へ蓄積し（１６４）、走行履歴７２を作成する（１６５）。情報センタ４０は走行履歴７２をサービス事業者３０へ送信する（１６６）。ここで走行履歴７２の作成に必要な費用が発生する。サービス事業者３０は走行履歴７２からサービスコンテンツを作成する（１６８）。ここでサービスコンテンツの作成に必要な費用が発生する。そして作成されたサービスコンテンツはサービス事業者３０から予め情報センタ４０に送られる（１７７）。
【００２９】
サービスコンテンツの送信フェーズでは、図３に示すように、運転手１０が車載端末２１でコンテンツ出力プログラムを起動させ、図３０のようなサービスコンテンツ選択画面１７６０を表示させる。この選択画面には提供されているサービス名に対応して、サービス提供契約の有無と契約期間が表示され、提供を受けられるサービス名が確認できるようになっている。運転者はこのメニューのサービスを受けられる項目の中から希望するサービスを選択して、車載端末２１に入力することによりサービスコンテンツの配信を要求する（１７０）。
【００３０】
車載端末２１は情報センタ４０に対してサービスコンテンツの配信要求に関する情報を送信する（１７１）。ここで通信事業者５０に通信料金が発生する。情報センタ４０はサービスコンテンツの配信要求に基づいて、通信事業者５０を介してサービスコンテンツを送信する（１７３，１７４）。このとき、通信事業者５０に通信料金が発生する。車載端末２１は運転手１０に対してサービスコンテンツを表示する（１７６）。
【００３１】
サービスコンテンツの表示内容は、交通情報サービスであれば図３１のような出力画面１７６０が表示され、安全運転診断サービスであれば図３２のような出力画面１７６１が表示され、車両の故障診断サービスであれば図３３のような出力画面１７６２が表示される。交通情報サービスの場合、図３１に示すように自車位置あるいは指定した地点付近の地図を表示した上に、サービス事業者から送られて来るその周囲道路の交通情報を重ねて表示する。この時、渋滞中なのか，混雑しているが車は流れているか、あるいは工事中の道路なのかといった情報が道路上の該当区間に重ねて表示される。安全運転診断サービスの場合、図３２に示すように収集した車両情報に基づき、その車両速度の変化や方位角の変化などから各位運転者ごとに安全運転度を判定し、この値に基づいて計算した保険の割引率を表示する。更にこの画面には、安全運転に関する各項目をグラフにして表示すると共に、運転上注意すべき点を表示して安全運転を促す。車両の故障診断サービスの場合、図３３に示すように収集した車両情報に基づき、車両のコンディションを判定して、該当する可能性のある故障内容とその危険度、及び修理の難易度を対応させて表示し、特に危険度の高い項目は強調表示して早急な修理を運転者に促す。
【００３２】
図４に示すサービス料金の計算フェーズでは、通信事業者５０は会員毎の通信料金を例えば月に一度など定期的に計算し（１９０）、その通信料金を情報センタ４０へ通知する（１９２）。情報センタ４０は、通信事業者５０から通知された料金を、車両情報の通信履歴と照合する（１９４）。情報センタ４０は、通信料金を含めた走行履歴７２作成などの情報処理にかかった経費を会員毎に計算し（１９５）、サービス事業者３０に通知する（１９６）。サービス事業者３０は、情報センタ４０の通知した経費を情報処理履歴と照合する（１９７）。サービス事業者３０は、登録された車両情報仕様７０から情報価値７４１を計算する（１９８）。この情報価値７４１をもとに、情報センタ４０から通知された経費を含めて、会員毎のサービス料金を計算する（１９９）。サービス事業者２００はサービス会員９に対してサービス料金を請求する（２００）。サービス会員９は金融機関を介してサービス事業者３０に対しサービス料金を支払う（２０１）。サービス事業者３０は情報センタ４０に対してサービス料金から経費を支払う（２０２）。情報センタ４０は経費から通信料金を、通信事業者５０に対して支払う（２０４）。
【００３３】
図８は車両情報仕様７０の構成である。車両情報仕様７０は、運転手１０一人につき契約の有効期間中に対して一つ保管するものとする。車両情報仕様７０は、仕様の番号である仕様ＩＤ，運転手１０の乗る車両２０を示す車両ＩＤ，運転手１０を指定したサービス会員を示す会員ＩＤ及びサービス会員が運転手１０を識別する運転手ＩＤ，サービスの有効期限，１種類の車両情報における仕様である種類別車両情報仕様から成り立っている。種類別車両情報仕様は、車両情報の番号，車両情報の種類名，車両情報の仕様を決定した者の名前，記録周期または送信周期，精度，上限，下限，記録または送信を起動するためのトリガの種類，記録または送信する条件を示す記録条件または送信条件から成り立っている。記録条件または送信条件は、いくつかの条件項を持つ条件式であり、条件項の数，条件項の関係を示した条件式，条件項の内容から成り立っている。条件項の内容は、条件項の番号，判定のもととなる車両情報の番号，条件項の判定関係を示す等号または不等号，判定の等値または閾値といった設定値から成り立っている。これら条件項は、設定値との大小関係あるいは範囲指定の関係を表現したものであり、例えば自宅近辺の範囲指定や車両情報送信時間帯の指定などの条件を設定する際に用いられる。
【００３４】
図９はサービス会員情報９０１の構成を示している。サービス会員情報はサービス会員９一人につき有効期間中に対して一つとする。サービス会員情報は、会員ＩＤ，氏名，個人契約か法人契約かを示す個人／法人情報，住所や電話番号を示す連絡先，サービス会員９の指定した運転手１０の数である運転手数，運転手１０の情報を示す複数の運転手情報，サービス会員９の指定した車両２０の台数を示す車両台数，走行に関わる車両２０の情報を示す車両の固有情報，サービスの有効期限を示す有効期限，交通情報，安全運転診断などサービス７３の種別を表すサービス種別，サービス会員かどうかを判別するためのログイン名とパスワード，サービス会員９の登録した車両情報仕様７０の番号を示す車両情報仕様ＩＤ，使用料金情報の番号を示す使用料ＩＤから成り立っている。
【００３５】
また、運転手情報は、運転手１０の番号を示す運転手ＩＤ，氏名，年齢，住所や電話番号などの連絡先，運転手をシステムが識別するためのログイン名とパスワード，サービス要求履歴の番号であるサービス要求履歴ＩＤ，その他サービスに必要な情報などから成り立っている。車両の固有情報は、車両ＩＤ，標識番号，車種，走行履歴７２の番号を示す走行履歴ＩＤ，その他サービスに必要な情報から成り立っている。
【００３６】
図１０は走行履歴７２の構成を示している。走行履歴７２はワントリップあたり１つ残すものとする。ここでワントリップとしては、エンジンを始動してからエンジンを停止するまでの１走行が原則であるが、長距離を走行する運転者の場合など途中でエンジンを停止して休憩を取る場合などは、予め決めておいた１走行経路としてもよいし、運送関係の運転者の場合は１集配経路をワントリップとしても良い。走行履歴７２は、走行履歴ＩＤ，走行した車両２０の車両ＩＤ，走行履歴の示す履歴の期間，走行情報の数，走行情報から成り立っている。走行情報は、その番号，情報の種類名とその値から成り立っている。
【００３７】
図１１は情報価値７４１の構成を示している。情報価値７４１は、サービスの対象となるサービス会員９の会員ＩＤ，サービス会員９の指定した車両の台数，車両２０に関する走行履歴７２を識別する走行履歴ＩＤ，サービス会員９の指定した車両情報仕様７０のＩＤ，車両情報仕様７０の情報価値の値から成り立っている。
【００３８】
図１２はサービス要求履歴７３１の構成を示している。サービス要求履歴７３１はサービスを使用した際に発生し、１つのサービス要求履歴はその際に運転手１０からのサービス要求があった情報数個から成り立っている。１回の使用あたりのサービス要求情報は、要求情報自体の要求情報ＩＤ，サービスを要求した運転手の運転手ＩＤ，サービス種類，サービス内容，サービス料金から成り立っている。
【００３９】
サービス事業者３０は、サービス会員９からの会員申し込みの申請を受領すると、サービス会員９へサービス会員の申し込み用フォームを送付する。この申し込み用フォームにより図１５に示すサービス会員情報入力画面１１１１が表示され、サービス会員情報９０１が入力される。その際、サービス会員情報入力画面１１１１に運転手情報の入力ボタンが表示されるのでこのボタンを押すと、図１６に示すような運転手情報の入力画面１１１３が表示される。この運転手情報の入力画面１１１３に対して運転手情報を入力する。また、サービス会員情報入力画面１１１１には、車両の固有情報の入力ボタンが表示されるのでこのボタンを押すと、図１７に示すような車両の固有情報の入力画面１１１５を表示される。この車両の固有情報の入力画面１１１５に対して車両の固有情報を入力する（１１１４）。サービス会員情報９０１を一通り入力し終えた後、サービス会員情報入力画面１１１１のＯＫボタンを押すと、図１８に示すようなサービス会員情報の承認画面１１１７が表示され、実際に登録するか否かを聞いてくる。サービス会員が承認ボタンを押す（１１１６）と、会員登録情報がサービス事業者３０に送信される。
【００４０】
図１３は、車載端末２１における車両情報の収集・蓄積に関する処理フロー図であり、図３に示した処理フローの、定周期毎の車両情報の収集／蓄積１６０から定周期毎の車両情報送信１６１の処理に相当する。まず、車載端末２１はＧＰＳ受信機２１３や送受信装置２１５の初期化処理を行う（１６００）。次に、情報記録装置２１７に記憶されてある車両情報仕様７０を読み込む（１６０１）。収集可能な全ての車両情報７１の種類に関して、車両情報７１を各種センサ２１２またはＧＰＳ受信機２１３から収集し（１６０３）、ＣＰＵ２１０内の記憶装置に記憶する（１６０４）。全種類の車両情報７１に関して収集・記憶が終了した後、各車両情報７１に関して、その車両情報７１が送信または記録の対象であるかどうかを、車両情報仕様７０から判別する（１６１１）。もし送信または記録の対象だった場合、カウントされた時間が車両情報仕様７０に記述されている送信周期または記録周期となっており（１６１２）、かつ送信条件または記録条件を満足していれば（１６１３）、車両情報７１の値の上限・下限・精度に関する加工を行う（１６１４）。上限に関する加工とは、車両情報７１の値が上限値を上回った場合にはその値を上限値そのものに置き換えるものである。また、下限に関する加工とは、車両情報７１の値が下限値を下回った場合にはその値を下限値そのものに置き換えるものである。精度に関する加工とは、車両情報７１の値を精度単位のものにする処理である。たとえば具体的には、車両情報７１を精度で割り、その整数値を精度でかけ直してその値と置き換えるというものである。加工処理１６１４が終了した後、その車両情報７１を情報センタ４０へ送信または記録媒体へ記録する（１６１５）。以上の処理を全種類の車両情報７１に関して繰り返す。その後、エンジンがもし切断されていれば（１６１６）、処理を終了し、そうでなければ該処理１６０３から一連の処理を繰り返す。
【００４１】
図１４は情報価値の計算に関する、サービス事業者３０における情報価値の算出処理フローである。サービス事業者３０はサービスに必要な走行履歴の仕様と、情報センタ４０が該走行履歴を得るために必要な車両情報仕様を予め決定しておく。まず、サービス事業者３０は車両情報仕様における情報量を計算する（１９８２）。そして登録された車両情報仕様における、情報量の実績値を計算する（１９８３）。収集された情報量の実績値計算を簡単に行うため、受信した情報のバイト数を用いても良い。さらに、収集された車両情報から、情報量の実績値の補正を行う（１９８４）。たとえば、違う時間帯における車速など、同じ車両情報の仕様であってもサービス７３を実現するのにためになる度合いは変わってくるので、そのようなことを補正に考慮する。この場合、車両情報仕様７０で指定した車両情報１種類につき、登録された車両情報のうち、必要な車両情報に該当するものがあれば、その情報分だけ情報量の実績値を加算する（１９８３）。さらに、収集された車両情報から、情報量の実績値の補正を行う（１９８４）。たとえば、違う時間帯における車速など、同じ車両情報の仕様であってもサービス７３を実現するのにためになる度合いは変わってくるので、そのようなことを補正に考慮する。処理１９８３と処理１９８４に関して、車両情報仕様７０で指定した全種類の車両情報に関して繰り返す。最後に、補正をかけた情報量の実績値を必要な情報量で割ることにより、情報価値を算出する（１９８５）。なお、情報量の実績値は１以上になることのないよう値を頭打ちする。
【００４２】
更に、ユーザに提供するサービスに必要な情報がユーザから送られてこない際には、そのユーザに対するサービス料金を増やすことによって、サービスの運営に要する費用をまかなうことができる。
【００４３】
【発明の効果】
本発明により、運転手の意向により走行履歴を他者に見せるか見せないかを選択することができるため、運転者のプライバシーに配慮した車両情報の収集が可能となる。また、車両情報仕様の設定内容に応じてサービス料金または保険料金を決定することができる。
【図面の簡単な説明】
【図１】本発明の実施例におけるシステムのブロック図。
【図２】本発明の実施例における車両情報仕様の登録の処理フロー図。
【図３】本発明の実施例におけるサービスコンテンツに間する処理フロー図。
【図４】本発明の実施例におけるサービス料金の計算の処理フロー図。
【図５】車載端末の構成。
【図６】情報センタ側の情報システム構成。
【図７】サービス事業者側の情報システム構成。
【図８】車両情報仕様の構成。
【図９】サービス会員情報の構成。
【図１０】走行履歴の構成。
【図１１】情報価値の構成。
【図１２】サービス要求履歴の構成。
【図１３】車両情報の蓄積・記憶に関する処理フロー図。
【図１４】情報価値の計算に関する処理フロー図。
【図１５】サービス会員情報入力画面。
【図１６】運転手情報入力画面。
【図１７】車両の固有情報の入力画面。
【図１８】会員情報の承認画面。
【図１９】車両情報の提供方法の設定画面。
【図２０】自宅付近での情報非提供モード設定画面。
【図２１】通勤時間オンリー提供モード設定画面。
【図２２】ボタン切り替え提供モード設定画面。
【図２３】車両情報仕様の条件入力画面。
【図２４】車両情報仕様の詳細設定画面。
【図２５】車両情報仕様の詳細設定画面。
【図２６】サービス会員用プログラムのメニュー画面。
【図２７】運転手からの車両情報仕様の通達画面。
【図２８】運転手からの車両情報仕様の承認画面。
【図２９】サービス申込画面。
【図３０】サービスコンテンツ選択画面。
【図３１】交通情報サービスのコンテンツ出力画面。
【図３２】安全運転診断サービスのコンテンツ出力画面。
【図３３】車両の故障診断サービスにおけるコンテンツ出力画面。
【符号の説明】
１，１１…ＰＣ、２，１２…携帯端末、９…サービス会員、１０…運転手、
２０…車両、２１…車載端末、３０…サービス事業者、３１…マンマシンインターフェース、３２，４２…ＣＰＵ、３３，４４１…サービス会員情報データベース、３４…走行履歴データベース、３５，４４６…情報処理履歴データベース、３６…情報価値データベース、４０…情報センタ、４３…送受信装置、５０…通信事業者、７０…車両情報仕様、７２…走行履歴、２１０…車載端末のＣＰＵ、２１１…車載端末のＩ／Ｏ、２１２…各種センサ、２１３…ＧＰＳ受信機、２１４…ＧＰＳアンテナ、２１５…無線送受信装置、２１６…無線アンテナ、２１７…情報記録装置、２１８…操作入力装置、２１９…ディスプレイ、４４２…車両情報仕様データベース、４４３…車両情報データベース、４４４…サービスコンテンツデータベース、４４５…送受信履歴データベース、４４７…サービス要求履歴データベース、７３１…サービス要求履歴。
【図１】
2004118370.tif 000003
【図２】
2004118370.tif 000004
【図３】
2004118370.tif 000005
【図４】
2004118370.tif 000006
【図５】
2004118370.tif 000007
【図６】
2004118370.tif 000008
【図７】
2004118370.tif 000009
【図８】
2004118370.tif 000010
【図９】
2004118370.tif 000011
【図１０】
2004118370.tif 000012
【図１１】
2004118370.tif 000013
【図１２】
2004118370.tif 000014
【図１３】
2004118370.tif 000015
【図１４】
2004118370.tif 000016
【図１５】
2004118370.tif 000017
【図１６】
2004118370.tif 000018
【図１７】
2004118370.tif 000019
【図１８】
2004118370.tif 000020
【図１９】
2004118370.tif 000021
【図２０】
2004118370.tif 000022
【図２１】
2004118370.tif 000023
【図２２】
2004118370.tif 000024
【図２３】
2004118370.tif 000025
【図２４】
2004118370.tif 000026
【図２５】
2004118370.tif 000027
【図２６】
2004118370.tif 000028
【図２７】
2004118370.tif 000029
【図２８】
2004118370.tif 000030
【図２９】
2004118370.tif 000031
【図３０】
2004118370.tif 000032
【図３１】
2004118370.tif 000033
【図３２】
2004118370.tif 000034
【図３３】
2004118370.tif 000035